(57)【要約】【課題】出力ポート毎に光出力を調整できること。【解決手段】入力ポートＰ１から入力された光信号を常光Ｌ１と異常光Ｌ２に分離させた状態で光路を切り替え、複数のうち一つの出力ポートＰ３，Ｐ４から出力する光スイッチ１００において、切り替えたそれぞれの光路上に、光信号の偏光方向を制御する第２のファラデー回転子１２２ａ，１２２ｂを設ける。第２のファラデー回転子１２２ａ，１２２ｂは、供給する電流の変化に対応してファラデー回転の角度が連続的に変化し、出力ポートＰ３，Ｐ４から出力される出力レベル差の微調整等を行える。【選択図】        図１
2006276059.tif 000002
【特許請求の範囲】
【請求項１】
入力ポートから入力された光信号を常光と異常光に分離させた状態で光路を切り替え、複数のうち一つの出力ポートから出力する光スイッチ装置において、
前記切り替えたそれぞれの光路上に、当該光信号の偏光方向を制御するファラデー回転子をそれぞれ設けたことを特徴とする光スイッチ装置。
【請求項２】
入力ポートから入力された光信号を常光と異常光に分離させた状態で光路を切り替え、複数のうち一つの出力ポートから出力する光スイッチ装置において、
前記入力ポートから入力された光信号を常光と異常光に分離する第１の複屈折結晶板と、
前記第１の複屈折結晶板により分離された前記常光および前記異常光の偏光方向を一致させる第１の波長板と、
前記第１の波長板から出射される前記常光および前記異常光を所定の偏光方向となるようファラデー回転させる第１のファラデー回転子と、
前記第１のファラデー回転子から出射される前記常光および前記異常光が有する偏光方向に応じて光路を切り替える第２の複屈折結晶板と、
前記第２の複屈折結晶板から出射される前記常光および前記異常光の偏光方向を互いが直交する方向に偏光させる第２の波長板と、
前記第２の波長板により前記常光および前記異常光の偏光方向を所定偏光方向となるようファラデー回転させる第２のファラデー回転子と、
前記第２のファラデー回転子によりファラデー回転された前記常光と前記異常光とを合波させ、出力ポートに出射させる第３の複屈折結晶板と、
を備え、
前記第２の複屈折結晶板により切り替えられた光路上にそれぞれ個別に、前記第２のファラデー回転子を配置したことを特徴とする光スイッチ装置。
【請求項３】
前記第１のファラデー回転子および前記第２のファラデー回転子における前記ファラデー回転の角度を連続的に変化させる制御手段を備えたことを特徴とする請求項２に記載の光スイッチ装置。
【請求項４】
前記出力ポートから出力される前記光信号の出力パワーを検出する検出手段を備え、
前記制御手段は、前記検出手段によって検出された前記光信号の出力パワーに基づいて、前記第２のファラデー回転子の前記ファラデー回転の角度を変化させることを特徴とする請求項３に記載の光スイッチ装置。
【請求項５】
前記制御手段は、前記検出手段によって検出された前記光信号の出力パワーが所定の変動範囲内に収まるように、前記第２のファラデー回転子の前記ファラデー回転の角度を変化させることを特徴とする請求項４に記載の光スイッチ装置。
【発明の詳細な説明】
【技術分野】
【０００１】
この発明は、伝送路のノード等に設けられ光信号を切り替える光スイッチ装置にかかり、特に、ファラデー回転子を用いた光出力可変機能を有する光スイッチ装置に関する。
【背景技術】
【０００２】
図１２は、従来の光スイッチの一例を示す図である。光信号を切り替える光スイッチ１０は、光ファイバ３１から入射される光信号の進行方向に沿って配置された三つの複屈折結晶板１１，１２，１３と、これら複屈折結晶板１１，１２，１３の間にそれぞれ回転子２１，２２を備えて構成されている（たとえば、下記特許文献１参照。）。
【０００３】
第１の複屈折結晶板１１は、光を常光Ｌ１と異常光Ｌ２とに分離する。第１の回転子２１は、常光Ｌ１と異常光Ｌ２の偏光方向を一致させ、右または左４５度ファラデー回転させる。第２の複屈折結晶板１２は、偏光方向により光路Ｌ３または光路Ｌ４に替える。第２の回転子２２は、一致している偏光方向を直交関係にし、右または左４５度ファラデー回転させる。第３の複屈折結晶板１３は、分離している常光Ｌ１と異常光Ｌ２を合波する。互いに異なる光路Ｌ３と光路Ｌ４に対応して出力側には２つの出力用の光ファイバ３２，３３がそれぞれ異なる位置にレンズ３４，３５とともに固定して設けられている。
【０００４】
また、他の光スイッチとして、２つの出力用の光ファイバを一つのフェルールに収容し固定したものがある（たとえば、下記特許文献２参照。）。
【０００５】
【特許文献１】特開平４−３０８８１１号公報
【特許文献２】特開２００３−３０２６０４号公報
【発明の開示】
【発明が解決しようとする課題】
【０００６】
しかしながら、特許文献１の構成では、２つの出力用の光ファイバ３２，３３を光軸に合わせてそれぞれ調芯した後、レンズ３４，３５を備えるフェルール等を介して接着剤やレーザ溶接により固定するため、一度固定した後には調芯のばらつきの微調整や光出力の微調整を行うことができなかった。
【０００７】
また、特許文献２の構成では、２つの出力用の光ファイバを一つのフェルールに収容できるが、光路上に光路変更プリズムを必要とした。また、この特許文献２の構成においても、組み立て完了後に調芯のばらつきの微調整や光出力の微調整を行うことができなかった。
【０００８】
この発明は、上述した従来技術による問題点を解消するため、出力ポート毎に光出力を調整できる光スイッチ装置を提供することを目的とする。
【課題を解決するための手段】
【０００９】
上述した課題を解決し、目的を達成するため、この発明にかかる光スイッチ装置は、入力ポートから入力された光信号を常光と異常光に分離させた状態で光路を切り替え、複数のうち一つの出力ポートから出力する光スイッチ装置において、前記切り替えたそれぞれの光路上に、当該光信号の偏光方向を制御するファラデー回転子をそれぞれ設けたことを特徴とする。
【００１０】
上記構成によれば、切り替えられた光路上に、それぞれファラデー回転子が設けられており、このファラデー回転子により光信号をファラデー回転させることができる。これにより、切り替えた各光路を介して出力ポートから出力される光信号の出力レベルを調整できる。
【発明の効果】
【００１１】
本発明にかかる光スイッチ装置によれば、出力ポート毎に光信号の光パワーを連続的に調整できるという効果を奏する。
【発明を実施するための最良の形態】
【００１２】
以下に添付図面を参照して、この発明にかかる光スイッチ装置の好適な実施の形態を詳細に説明する。
【００１３】
（実施の形態）
図１は、本発明の光スイッチ装置の内部構成を示す図である。図１には、光信号の偏光方向を併せて記載してある。本発明の光スイッチ１００は、入力される光信号に対して偏波無依存性である特性を有している。光信号の入力側から順に、第１の複屈折結晶板１０１、第１の波長板１１１、第１のファラデー回転子１２１、第２の複屈折結晶板１０２、第２の波長板１１２、第２のファラデー回転子１２２、第３の複屈折結晶板１０３が配置されてなる。
【００１４】
第１の複屈折結晶板１０１と、第３の複屈折結晶板１０３の光学軸は同一方向であり、第２の複屈折結晶板１０２の光学軸は、第１の複屈折結晶板１０１と第３の複屈折結晶板１０３の光学軸と直交方向に配置されている。第１の波長板１１１は、上下に２種類の光学軸の波長板１１１ａ，１１１ｂを同一平面に並べて構成している。同様に、第２の波長板１１２についても上下に２種類の光学軸の波長板１１２ａ，１１２ｂを同一平面に並べて構成している。第１の波長板１１１（１１１ａ，１１１ｂ）は、第１の複屈折結晶板１０１から出射された常光Ｌ１と、異常光Ｌ２とを同じ偏光方向にするように光学軸が配置されている。第２の波長板１１２（１１２ａ，１１２ｂ）は、第２の複屈折結晶板１０２から出射される同じ偏光方向の光（常光Ｌ１と異常光Ｌ２）を互いに直交する方向となるような光学軸に配置されている。
【００１５】
第１の複屈折結晶板１０１には、図示しない光ファイバ介して入力ポートＰ１からランダム偏光の光信号が入射される。第１の複屈折結晶板１０１は、入射された光信号を常光Ｌ１と異常光Ｌ２とに分離する。図示の例では異常光Ｌ２を角度θ１を有して下方に分離させている。第１の波長板１１１は、これら常光Ｌ１と異常光Ｌ２の偏光方向を一致させる。第１のファラデー回転子１２１は、常光Ｌ１と異常光Ｌ２を右または左にファラデー回転させて（詳細は後述する）第２の複屈折結晶板１０２に入射させる。
【００１６】
第２の複屈折結晶板１０２は、入射された光信号（常光Ｌ１および異常光Ｌ２）の偏光方向に対応して光路を切り替える。図１に示す例では、光路が角度θ２を有して切り替えられた状態である。第２の波長板１１２は、常光Ｌ１と異常光Ｌ２の一致している偏光方向を直交関係にする。この第２の波長板１１２は、図示の例では、それぞれ異なる結晶方向を有する第２の波長板１１２ａ，１１２ｂを上下に配置してなる。上方の第２の波長板１１２ａは常光Ｌ１用であり、下方の第２の波長板１１２ｂは異常光Ｌ２用であり、常光Ｌ１と異常光Ｌ２とを個別に偏光方向を変更できる。
【００１７】
第２のファラデー回転子１２２は、第２の複屈折結晶板１０２により、光路が切り替えられた状態の常光Ｌ１と異常光Ｌ２とをいずれも右または左にファラデー回転させて第３の複屈折結晶板１０３に入射させる。第２のファラデー回転子１２２は、図示の例では、それぞれ異なる結晶方向を有する第２のファラデー回転子１２２ａ，１２２ｂを左右に配置してなる。手前の第２のファラデー回転子１２２ａは、第２の複屈折結晶板１０２により光路が切り替えられていない状態の常光Ｌ１と異常光Ｌ２をいずれも同一方向にファラデー回転させる。奥方の第２のファラデー回転子１２２ｂは、第２の複屈折結晶板１０２により光路が切り替えられた状態（図１に示す状態）の常光Ｌ１と異常光Ｌ２をいずれも同一方向にファラデー回転させる。
【００１８】
第３の複屈折結晶板１０３は、分離されていた常光Ｌ１と異常光Ｌ２とを合波させる。図示の例では、常光Ｌ１を角度θ３を有して角度変更させて異常光Ｌ２と同一の出力ポートＰ３に出力する。なお、出力ポートは出力ポートＰ３と、出力ポートＰ４とを有している。出力ポートＰ４は、第２の複屈折結晶板１０２により、光路が切り替えられないときの常光Ｌ１と異常光Ｌ２とを出力する。
【００１９】
上記の構成による光スイッチ１００は、第２のファラデー回転子１２２が出力ポートの個数と同数備えている。上記構成によれば、出力ポートＰ３，Ｐ４の２個が設けられており、第２のファラデー回転子１２２は、これと同数の２個（１２２ａ，１２２ｂ）を備えている。
【００２０】
図２は、本発明の光スイッチ装置の制御構成を示すブロック図である。光スイッチ１００の入力ポートＰ１に入力される光信号は、第２の複屈折結晶板１０２（図１参照）の切り替えにより、出力ポートＰ３，Ｐ４のいずれかから出力される。出力ポートＰ３から出力された光信号は、光カプラ２０１により所定比（たとえば９：１）で分岐され、一方（たとえば９割）が外部出力され、他方（残りの１割）が光検出器（ＰＤ１）２０３によって光パワーが検出される。出力ポートＰ４から出力された光信号は、光カプラ２０２により所定比（たとえば９：１）で分岐され、一方（たとえば９割）が外部出力され、他方（残りの１割）が光検出器（ＰＤ２）２０４によって光パワーが検出される。
【００２１】
光検出器２０３，２０４によってそれぞれ検出された光パワーは、制御部（ＣＰＵ）２０５に出力される。ＣＰＵ２０５は、光検出器２０３，２０４によって検出された光パワーが所定のパワーレベル（変動幅）範囲内に収まっているか否かを判断し、変動幅が大きいときには、駆動部２１０に対して制御信号Ｓ１を出力する。駆動部２１０は、この制御信号Ｓ１を受けると、光スイッチ１００のファラデー回転子に対して供給する電流の値を変更させ、ファラデー回転角を変更させる。第１のファラデー回転子１２１に対する供給電流はＳ１１であり、第２のファラデー回転子１２２ａに対する供給電流はＳ１２であり、第２のファラデー回転子１２２ｂに対する供給電流はＳ１３である。
【００２２】
次に、上記構成の光スイッチ１００の光スイッチの動作について説明する。入力ポートＰ１から入力された光信号は、第１の複屈折結晶板１０１により常光Ｌ１と異常光Ｌ２とに分離される。分離された光（常光Ｌ１，異常光Ｌ２）は、第１の波長板１１１により偏光方向が一致する。常光Ｌ１に対する波長板１１１ａの光学軸は、常光Ｌ１に対し２２．５度傾いている。異常光Ｌ２に対する波長板１１１ｂの光学軸は、常光Ｌ１に対し６７．５度傾いている。これにより、偏光方向は右４５度方向で一致する。
【００２３】
この後、第１のファラデー回転子１２１により、たとえば右４５度にファラデー回転され、第２の複屈折結晶板１０２により光路が切り替えられ、第２の波長板１１２により一致している偏光方向が直交関係とされる。すなわち、第２の複屈折結晶板１０２から出射された上下の光は、第２の波長板１１２に入射される（常光Ｌ１が波長板１１２ａに入射され、異常光Ｌ２が波長板１１２ｂに入射される）。波長板１１２ａ，１１２ｂの光学軸は、光の偏光方向からそれぞれ＋２２．５度、−２２．５度傾いている。これにより偏光方向は上（常光Ｌ１）は左４５度、下（異常光Ｌ２）は右４５度となり直交関係となる。
【００２４】
この後、第２のファラデー回転子１２２により、たとえば右４５度にファラデー回転され、第３の複屈折結晶板１０３により分離している常光Ｌ１と異常光Ｌ２が合波して出力ポートＰ３あるいはＰ４から出力される。
【００２５】
ここで、第２のファラデー回転子１２２（図１に示す例では、光信号が通過している第２のファラデー回転子１２２ｂ，１２２ａ）のみ左４５度にファラデー回転させると、第３の複屈折結晶板１０３では分離している常光Ｌ１と異常光Ｌ２とを合波させないようにすることができる。これにより、光スイッチ１００の組み立て完了後に、第２のファラデー回転子１２２（１２２ｂ）のファラデー回転角を、右４５度から左４５度の間で任意に変更させることにより、所望の光出力を得ることができる。この第２のファラデー回転子１２２は、出力ポートＰ３，Ｐ４の個数（図１の例では２個）と同じ数となるよう、第２のファラデー回転子１２２ａ，１２２ｂとして備えることにより、出力ポートＰ３，Ｐ４毎に光出力を微調整ができる。また、積極的に光出力差を与えることもできる。
【００２６】
図３は、本発明の光スイッチ装置の光路切り替え動作を示す図である。第１のファラデー回転子１２１と、第２のファラデー回転子１２２（１２２ａ）のファラデー回転方向をそれぞれ左４５度に変更したものである。これにより、第２の複屈折結晶板１０２は、光信号（常光Ｌ１および異常光Ｌ２）の光路の切り替えを行わない。対応して光信号は、第２のファラデー回転子１２２ａ側を通過し、第３の複屈折結晶板１０３により合波された光信号は、ポートＰ４から出力される。このように、第１，第２のファラデー回転子１２１，１２２のファラデー回転方向を変更することにより、出力ポートＰ３，Ｐ４を変更させる光路切り替え動作（スイッチ動作）が可能となる。第１のファラデー回転子１２１は出力ポートを選択する機能を有し、第２のファラデー回転子１２２（１２２ａ，１２２ｂ）は光信号（常光Ｌ１と異常光Ｌ２）を合波させる機能を有している。
【００２７】
図４は、本発明の光スイッチ装置の光出力変更動作を示す図である。図４に示す状態は、図３に示した状態に対して第２のファラデー回転子１２２ａのファラデー回転角を０度にしたものである。図４において、第１の複屈折結晶板１０１〜第２の波長板１１２までの間における光信号の光路および光信号の偏光状態は、図３と同様である。
【００２８】
第２のファラデー回転子１２２ａのファラデー回転角を０度にすると、第３の複屈折結晶板１０３は、入射される偏光方向が４５度なので５０％の光を合波させる。この状態で第３の複屈折結晶板１０３は、常光Ｌ１を角度θ３の範囲で半減させるため、出力ポートＰ４から出力される光信号のパワーを半減（５０％）に低減させる。
【００２９】
なお、この状態で第１のファラデー回転子１２１の偏光方向を切り替える（たとえば右４５度にファラデー回転させる）ことにより、光信号の光路は図１相当となり、出力ポートＰ３から出力される光信号のパワーを５０％に低減させることができる。
【００３０】
図５は、本発明の光スイッチ装置の光出力停止動作を示す図である。図５に示す状態は、図３に示した状態に対して第２のファラデー回転子１２２ａのファラデー回転角を左４５度にしたものである。図５において、第１の複屈折結晶板１０１〜第２の波長板１１２までの間における光信号の光路および光信号の偏光状態は、図３と同様である。
【００３１】
第２のファラデー回転子１２２ａのファラデー回転角を左４５度にすると、第３の複屈折結晶板１０３に入射される偏光方向が図３と逆になるため、第３の複屈折結晶板１０３は常光Ｌ１と異常光Ｌ２とを合波しない。図示のように、第３の複屈折結晶板１０３は、常光Ｌ１は直進させ、異常光Ｌ２は角度θ３を有して下方に向かわせるため、これら常光Ｌ１と異常光Ｌ２は合波されない。これにより出力ポートＰ４から光信号は出力されない。
【００３２】
以上説明したように、第２のファラデー回転子１２２（１２２ａ，１２２ｂ）のファラデー回転角を右４５度から左４５度の間で任意に変更（設定）することにより、合波される光の割合を制御でき、出力ポートＰ３，Ｐ４毎に所望の光損失を与えることができる。なお、図１に示した第１の波長板１１１と第１のファラデー回転子１２１の配置順序は逆にすることもできる。この場合でも、第１の波長板１１１の光学軸の向きや、第１のファラデー回転子１２１のファラデー回転角の方向を適宜設定することにより、第２の複屈折結晶板１０２を用いて光路の切り替え動作（スイッチ動作）を行うことができる。第２の波長板１１２（１１２ａ，１１２ｂ）と第２のファラデー回転子１２２（１２２ａ，１２２ｂ）の配置についても同様である。
【００３３】
図６は、第１のファラデー回転子の構成を示す図である。第１のファラデー回転子１２１は、円筒形の電磁石６０１内部に磁気光学素子６０２を配置して構成される。電磁石６０１に流れる電流の方向を駆動部６０３により変えることにより、磁気光学素子６０２に印加される磁界の方向が変わり、左あるいは右４５度のファラデー回転を起こすことができる。
【００３４】
図７は、第２のファラデー回転子の構成を示す図である。また、図８は、第２のファラデー回転子における合成磁界を示す図である。第２のファラデー回転子１２２（１２２ａ，１２２ｂ）は、一対の円筒形の永久磁石７０１ａ，７０１ｂによる一定磁界Ｈｒと、一対の電磁石７０２ａ，７０２ｂによる可変磁界Ｈｖとによって形成される合成磁界Ｈｃを、磁気光学素子７０３に印加する構成である。電磁石７０２ａ，７０２ｂに流れる電流の向きと大きさを変えることにより、合成磁界Ｈｃの向きと大きさを変更でき、光信号の光軸と、合成磁界Ｈｃの向きとの間の角度θｃを変更することができる。これにより、ファラデー回転角を任意に設定できる。
【００３５】
ファラデー回転角θｆは、下記式（１）によって得られる。
θｆ＝θｆｍａｘ×ｃｏｓθｃ    …（１）
（θｆｍａｘ：光信号の光軸と並行に磁界を印加したときのファラデー回転角）
【００３６】
図９は、第２のファラデー回転子の電磁石に流れる電流とファラデー回転角の関係を示す図表である。図に示すように、第２のファラデー回転子１２２（１２２ａ，１２２ｂ）は、電磁石７０２ａ，７０２ｂに流す電流を大きくするにしたがって、ファラデー回転角が小さくなるよう制御することができる。
【００３７】
図１０は、ファラデー回転角と光損失の関係を示す図表である。第３の複屈折結晶板１０３において出力ポートＰ３，Ｐ４における光ファイバ（不図示）への結合の光損失を示している。ファラデー回転角が小さいほど光損失が大きく、ファラデー回転角が大きいほど光損失が０に近づき小さくなることが示されている。これら、図９および図１０に示すように、第２のファラデー回転子１２２（１２２ａ，１２２ｂ）の電磁石７０２ａ，７０２ｂに流れる電流を制御することにより、光損失を連続的に可変でき、所望の光損失を得ることができる。
【００３８】
図１１は、光パワーの安定化を行う制御内容を示すフローチャートである。図２に示した制御部（ＣＰＵ２０５）が実行する安定化制御の内容を示してある。はじめに、光路切り替えか否かを判断する（ステップＳ１）。光路切り替えを行うときには（ステップＳ１：Ｙｅｓ）、第１のファラデー回転子１２１を右４５度ファラデー回転させる。この際、図１に示したように光信号の出力ポートはＰ３が選択される。そして、光検出器（ＰＤ１）２０３により、光パワーを検出する（ステップＳ２）。
【００３９】
ＣＰＵ２０５は、検出された光パワーの変動を測定する（ステップＳ３）。そして、測定した光パワーの変動が範囲内であるか否かを判断する（ステップＳ４）。この範囲とは、たとえば光パワーの最大値（ｍａｘ）と最小値（ｍｉｎ）から得られる光パワー範囲をたとえばｄＢ値で設定しておく。そして、ステップＳ２により検出した光パワーが範囲内にあるときには（ステップＳ４：Ｙｅｓ）、光パワーの変動を許容できる範囲内であるとして、処理を終了する。
【００４０】
一方、ステップＳ２により検出した光パワーが範囲から外れた値であるときには（ステップＳ４：Ｎｏ）、光パワーの変動を許容できる範囲内ではないため、光パワーを範囲内に収めるよう、電流制御を行い（ステップＳ５）、ステップＳ２を再実行する。ステップＳ５における電流制御により、上述した第２のファラデー回転子１２２によるファラデー回転角を変更させて、出力ポートＰ３に対する結合状態（図１０に示した光損失）を変更させる。
【００４１】
上記ステップＳ２〜ステップＳ５の処理は、光信号を切り替えた状態（図１参照）における制御内容であり、ステップＳ１２〜ステップＳ１５は、光信号を切り替えていない状態（図３）において出力ポートＰ４から光信号を出力する際に、光検出器（ＰＤ２）２０４を用いて光パワーを検出して行う制御内容である。ステップＳ１２〜ステップＳ１５は、ステップＳ２〜ステップＳ５と同様の制御であり、説明を省略する。上記の処理は、一定間隔毎に実行されるものであり、この一定間隔を監視期間として光スイッチ１００が出力する光パワーが安定するよう制御できる。
【００４２】
また、図１１に示した上記の処理は、光信号の出力が所定の範囲内となるように光パワーを安定化させる制御について説明したが、制御部（ＣＰＵ２０５）が実行する制御処理内容はこれに限らない。たとえば、光路の切り替えにより出力ポートＰ３あるいはＰ４のいずれかから光信号が出力されるが、これら出力ポートＰ３，Ｐ４に対応して一方あるいは他方の光路上に設けられた第２のファラデー回転子１２２（１２２ａ，１２２ｂ）のファラデー回転角を変更させる構成にもできる。これにより、光路切り替えの前後において出力ポートＰ３およびＰ４から出力される光信号の出力パワーに差がないように制御できる。たとえば、光スイッチ１００の組み立て後において、出力ポートＰ３，Ｐ４間で出力パワーに差が生じたときであっても、これら出力ポートＰ３，Ｐ４の出力パワーを微調整することができる。また、図４や図５を用いて説明したように、出力ポートＰ３，Ｐ４毎に出力パワーが所定の値となるように変更することもできる。
【００４３】
以上説明した実施の形態によれば、光スイッチ１００の組み立て完了後であっても出力ポート毎に光出力を微調整ができる。これにより、光信号の光路の違いによる光損失差を補正することができる。また、積極的に光損失に差を付け、出力ポート毎に異なる出力パワーとなるよう光出力差を与えることもできる。
【００４４】
（付記１）入力ポートから入力された光信号を常光と異常光に分離させた状態で光路を切り替え、複数のうち一つの出力ポートから出力する光スイッチ装置において、
前記切り替えたそれぞれの光路上に、当該光信号の偏光方向を制御するファラデー回転子をそれぞれ設けたことを特徴とする光スイッチ装置。
【００４５】
（付記２）入力ポートから入力された光信号を常光と異常光に分離させた状態で光路を切り替え、複数のうち一つの出力ポートから出力する光スイッチ装置において、
前記入力ポートから入力された光信号を常光と異常光に分離する第１の複屈折結晶板と、
前記第１の複屈折結晶板により分離された前記常光および前記異常光の偏光方向を一致させる第１の波長板と、
前記第１の波長板から出射される前記常光および前記異常光を所定の偏光方向となるようファラデー回転させる第１のファラデー回転子と、
前記第１のファラデー回転子から出射される前記常光および前記異常光が有する偏光方向に応じて光路を切り替える第２の複屈折結晶板と、
前記第２の複屈折結晶板から出射される前記常光および前記異常光の偏光方向を互いが直交する方向に偏光させる第２の波長板と、
前記第２の波長板により前記常光および前記異常光の偏光方向を所定偏光方向となるようファラデー回転させる第２のファラデー回転子と、
前記第２のファラデー回転子によりファラデー回転された前記常光と前記異常光とを合波させ、出力ポートに出射させる第３の複屈折結晶板と、
を備え、
前記第２の複屈折結晶板により切り替えられた光路上にそれぞれ個別に、前記第２のファラデー回転子を配置したことを特徴とする光スイッチ装置。
【００４６】
（付記３）前記第１のファラデー回転子および前記第２のファラデー回転子における前記ファラデー回転の角度を連続的に変化させる制御手段を備えたことを特徴とする付記２に記載の光スイッチ装置。
【００４７】
（付記４）前記出力ポートから出力される前記光信号の出力パワーを検出する検出手段を備え、
前記制御手段は、前記検出手段によって検出された前記光信号の出力パワーに基づいて、前記第２のファラデー回転子の前記ファラデー回転の角度を変化させることを特徴とする付記３に記載の光スイッチ装置。
【００４８】
（付記５）前記制御手段は、前記検出手段によって検出された前記光信号の出力パワーが所定の変動範囲内に収まるように、前記第２のファラデー回転子の前記ファラデー回転の角度を変化させることを特徴とする付記４に記載の光スイッチ装置。
【００４９】
（付記６）前記制御手段は、前記検出手段によって検出された前記光信号の出力パワーが出力停止から所定の出力パワーまでの間で所定の値となるように、前記第２のファラデー回転子の前記ファラデー回転の角度を変化させることを特徴とする付記４に記載の光スイッチ装置。
【産業上の利用可能性】
【００５０】
以上のように、本発明にかかる光スイッチ装置は、光信号の経路を切り替える用途に有用であり、特に、入力される光信号に対して偏波無依存性で経路を切り替えることができる光スイッチに適している。
【図面の簡単な説明】
【００５１】
【図１】本発明の光スイッチ装置の内部構成を示す図である。
【図２】本発明の光スイッチ装置の制御構成を示すブロック図である。
【図３】本発明の光スイッチ装置の光路切り替え動作を示す図である。
【図４】本発明の光スイッチ装置の光出力変更動作を示す図である。
【図５】本発明の光スイッチ装置の光出力停止動作を示す図である。
【図６】第１のファラデー回転子の構成を示す図である。
【図７】第２のファラデー回転子の構成を示す図である。
【図８】第２のファラデー回転子における合成磁界を示す図である。
【図９】第２のファラデー回転子の電磁石に流れる電流と、ファラデー回転角の関係を示す図表である。
【図１０】ファラデー回転角と光損失の関係を示す図表である。
【図１１】光パワーの安定化を行う制御内容を示すフローチャートである。
【図１２】従来の光スイッチの一例を示す図である。
【符号の説明】
【００５２】
１００  光スイッチ
１０１  第１の複屈折結晶板
１０２  第２の複屈折結晶板
１０３  第３の複屈折結晶板
１１１（１１１ａ，１１１ｂ）  第１の波長板
１１２（１１２ａ，１１２ｂ）  第２の波長板
１２１  第１のファラデー回転子
１２２（１２２ａ，１２２ｂ）  第２のファラデー回転子
２０１，２０２  光カプラ
２０３，２０４  光検出器（ＰＤ１，ＰＤ２）
２０５  制御部（ＣＰＵ）
２０６  駆動部
【図１】
2006276059.tif 000003
【図２】
2006276059.tif 000004
【図３】
2006276059.tif 000005
【図４】
2006276059.tif 000006
【図５】
2006276059.tif 000007
【図６】
2006276059.tif 000008
【図７】
2006276059.tif 000009
【図８】
2006276059.tif 000010
【図９】
2006276059.tif 000011
【図１０】
2006276059.tif 000012
【図１１】
2006276059.tif 000013
【図１２】
2006276059.tif 000014